(57)【要約】【課題】媒体の長さ異常を検出した後、印刷を再開させるための利用者の操作負担を軽減させる手段を提供する。【解決手段】給紙トレイから給紙された媒体を搬送する媒体搬送部と、媒体を給紙する前記給紙トレイを選択し、前記給紙トレイから給紙した媒体を前記媒体搬送部で搬送して前記媒体に画像を形成する制御部とを有し、前記媒体搬送部は、媒体長さ測定部で測定した搬送媒体の長さと、印刷データで指示された印刷媒体の長さとの差が許容範囲外の場合に、媒体の長さ異常を検出し、前記制御部は、印刷データで指定された第１の給紙トレイを選択し、該第１の給紙トレイから給紙した媒体の長さ異常が前記媒体搬送部で検出された場合、印刷データで指示された印刷媒体の長さと同じ長さの媒体が収容されている第２の給紙トレイに切り替える。【選択図】        図１
2016120702.tif 000002
【特許請求の範囲】
【請求項１】
印刷データに基づいて画像を形成する画像形成装置において、
媒体を収容する複数の給紙トレイを有し、前記給紙トレイから媒体を給紙する媒体給紙部と、
それぞれの前記給紙トレイに収容されている媒体の長さを検知する媒体サイズ検知部と、
前記給紙トレイから給紙された媒体を搬送する媒体搬送部と、
前記媒体搬送部により搬送される媒体の長さを測定する媒体長さ測定部と、
媒体を給紙する前記給紙トレイを選択し、前記給紙トレイから給紙した媒体を前記媒体搬送部で搬送して前記媒体に画像を形成する制御部と、
を有し、
前記媒体搬送部は、前記媒体長さ測定部で測定した搬送媒体の長さと、前記印刷データで指示された印刷媒体の長さとの差が許容範囲外の場合に、媒体の長さ異常を検出し、
前記制御部は、前記印刷データで指定された第１の給紙トレイを選択し、該第１の給紙トレイから給紙した媒体の長さ異常が前記媒体搬送部で検出された場合、前記印刷データで指示された印刷媒体の長さと同じ長さの媒体が収容されている第２の給紙トレイに切り替え、前記第２の給紙トレイから媒体の給紙を行うことを特徴とする画像形成装置。
【請求項２】
請求項１に記載の画像形成装置において、
前記制御部は、前記媒体搬送部で媒体の長さ異常が検出された場合、媒体搬送路に残ったすべての媒体を排出した後、前記第１の給紙トレイから前記第２の給紙トレイに切り替えて印刷を再開することを特徴とする画像形成装置。
【請求項３】
請求項１または請求項２に記載の画像形成装置において、
前記制御部は、前記媒体搬送部で媒体の長さ異常が検出された場合、媒体の長さ異常が検出された旨の表示を行うことを特徴とする画像形成装置。
【発明の詳細な説明】
【技術分野】
【０００１】
本発明は、給紙トレイから給紙した媒体に画像を形成する画像形成装置に関する。
【背景技術】
【０００２】
従来の画像形成装置は、媒体に画像を印刷する動作において、媒体を搬送する搬送路上に配設された媒体検出センサで検出した媒体のサイズと、設定された媒体のサイズとが一致しない媒体の長さ異常を検出した場合、当該媒体および搬送路上に残っている媒体を排出した後、媒体の長さ異常が発生した旨のアラーム表示を行い、利用者によるカバーの開閉を検知してから印刷を再開させるようにしている（例えば、特許文献１参照）。
【先行技術文献】
【特許文献】
【０００３】
【特許文献１】特開平１１−６５１８４号公報
【発明の概要】
【発明が解決しようとする課題】
【０００４】
しかしながら、従来の技術においては、媒体の長さ異常を検出した後、利用者による介入がなければ印刷を再開することができず、印刷を再開させるための利用者による操作が必要であり、利用者に操作負担がかかってしまうという問題がある。
本発明は、このような問題を解決することを課題とし、媒体の長さ異常を検出した後、印刷を再開させるための利用者の操作負担を軽減させることを目的とする。
【課題を解決するための手段】
【０００５】
そのため、本発明は、印刷データに基づいて画像を形成する画像形成装置において、媒体を収容する複数の給紙トレイを有し、前記給紙トレイから媒体を給紙する媒体給紙部と、それぞれの前記給紙トレイに収容されている媒体の長さを検知する媒体サイズ検知部と、前記給紙トレイから給紙された媒体を搬送する媒体搬送部と、前記媒体搬送部により搬送される媒体の長さを測定する媒体長さ測定部と、媒体を給紙する前記給紙トレイを選択し、前記給紙トレイから給紙した媒体を前記媒体搬送部で搬送して前記媒体に画像を形成する制御部と、を有し、前記媒体搬送部は、前記媒体長さ測定部で測定した搬送媒体の長さと、前記印刷データで指示された印刷媒体の長さとの差が許容範囲外の場合に、媒体の長さ異常を検出し、前記制御部は、前記印刷データで指定された第１の給紙トレイを選択し、該第１の給紙トレイから給紙した媒体の長さ異常が前記媒体搬送部で検出された場合、前記印刷データで指示された印刷媒体の長さと同じ長さの媒体が収容されている第２の給紙トレイに切り替え、前記第２の給紙トレイから媒体の給紙を行うことを特徴とする。
【発明の効果】
【０００６】
このようにした本発明は、媒体の長さ異常を検出した後、印刷を再開させるための利用者の操作負担を軽減させることができるという効果が得られる。
【図面の簡単な説明】
【０００７】
【図１】実施例における印刷装置の制御構成を示すブロック図
【図２】実施例における印刷装置の構成を示す概略側断面図
【図３】実施例における印刷処理の流れを示すフローチャート
【図４】実施例における媒体長異常検出処理の流れを示すフローチャート
【発明を実施するための形態】
【０００８】
以下、図面を参照して本発明による画像形成装置の実施例を説明する。
【実施例】
【０００９】
図２は実施例における印刷装置の構成を示す概略側断面図である。
図２において、画像形成装置としての印刷装置１００は、印刷データに基づいてトレイカセットから給紙した媒体に画像を形成（印刷）するプリンタ等である。
印刷装置１００は、トレイ１媒体給紙ローラ２００と、入口センサ２０１と、レジストローラ２０２と、書出しセンサ２０３と、トナーユニット２０４（２０４ａ、２０４ｂ、２０４ｃ、２０４ｄ）と、ベルトユニット２０５と、定着ユニット２０６と、出口センサ２０７と、排出ローラ２０８と、トレイ２媒体給紙ローラ２０９と、搬送ローラ２１０と、媒体搬送路２１１と、トレイ１カセット２１２と、トレイ２カセット２１３と、トレイ１媒体サイズ検知センサ２１４と、トレイ２媒体サイズ検知センサ２１５とを有している。
【００１０】
給紙トレイとしてのトレイ１カセット２１２およびトレイ２カセット２１３は、媒体を収容するものである。本実施例では、２つのトレイカセットを備えるものとして説明するが、３つ以上のトレイカセットを備えていても良い。
トレイ１媒体給紙ローラ２００は、トレイ１カセット２１２に収容された媒体を給紙するローラである。
トレイ２媒体給紙ローラ２０９は、トレイ２カセット２１３に収容された媒体を給紙するローラである。
【００１１】
搬送ローラ２１０は、トレイ２媒体給紙ローラ２０９で給紙された媒体を搬送するローラである。
入口センサ２０１は、トレイ１媒体給紙ローラ２００またはトレイ２媒体給紙ローラ２０９により給紙された媒体を検知するセンサである。
レジストローラ２０２は、トレイ１媒体給紙ローラ２００またはトレイ２媒体給紙ローラ２０９により給紙された媒体の斜行を補正し、その媒体をトナーユニット２０４へ搬送するローラである。
【００１２】
書出しセンサ２０３は、レジストローラ２０２により搬送された媒体を検知し、トナーユニット２０４で画像を形成するタイミングを生成するものである。
トナーユニット２０４（２０４ａ、２０４ｂ、２０４ｃ、２０４ｄ）は、イエロー色、マゼンタ色、シアン色、ブラック色の各色の現像剤像としてのトナー像を形成するものである。各トナーユニット２０４は、像担持体としての感光体ドラム、感光体ドラムの表面を一様に帯電させる帯電手段、感光体ドラムの表面に静電潜像を形成する露光装置、静電潜像に現像剤としてのトナーを供給してトナー像を現像する現像手段、トナー像を媒体に転写する転写手段等を備えたものである。
【００１３】
ベルトユニット２０５は、各トナーユニット２０４に対向配置され、レジストローラ２０２で搬送された媒体を搬送し、各トナーユニット２０４で形成されたトナー像を転写手段で媒体に転写させ、トナー像が転写された媒体を定着ユニット２０６へ搬送するものである。
【００１４】
定着ユニット２０６は、トナー像が転写された媒体にトナーを熱と圧力で定着させるものである。
出口センサ２０７は、定着ユニット２０６でトナーが定着された媒体を検知するセンサである。
排出ローラ２０８は、出口センサ２０７で検知された媒体を装置の外部へ排出するローラである。
【００１５】
媒体搬送路２１１は、トレイ１媒体給紙ローラ２００またはトレイ２媒体給紙ローラ２０９で搬送が開始された媒体を図中矢印Ａが示す媒体搬送方向に搬送する経路である。トレイ１媒体給紙ローラ２００またはトレイ２媒体給紙ローラ２０９で搬送が開始された媒体は、媒体搬送路２１１を通り装置外へ排出される。
トレイ１媒体サイズ検知センサ２１４は、トレイ１カセット２１２に収容されている媒体の媒体搬送方向における長さを検知するセンサである。
トレイ２媒体サイズ検知センサ２１５は、トレイ２カセット２１３に収容されている媒体の媒体搬送方向における長さを検知するセンサである。
【００１６】
図１は実施例における印刷装置の制御構成を示すブロック図である。
図１において、印刷装置１００は、通信制御部１０１と、システム制御部１０２と、印刷データ保存部１０３と、操作表示部１０４と、印刷制御部１０５と、媒体給紙部１０６と、媒体サイズ検知部１０７と、媒体搬送部１０８と、媒体長さ測定部１０９とを有している。
通信制御部１０１は、外部ネットワークとしての通信回線を介して接続されたホストコンピュータ等の外部装置との間で通信制御を行い、印刷内容を指示する印刷データの印刷を要求する印刷要求コマンドや設定の変更を要求する設定要求コマンド等の各種コマンド（指示情報）を受け付けるものである。
【００１７】
システム制御部１０２は、印刷装置１００全体の動作を制御するものである。このシステム制御部１０２は、通信制御部１０１から受信したコマンドを受け、印刷制御部１０５、操作表示部１０４を起動し、当該コマンドの処理を実行させる。また、システム制御部１０２は、通信制御部１０１が受信した印刷データを印刷データ保存部１０３に格納する。
印刷データ保存部１０３は、通信制御部１０１が受信した印刷データを格納する記憶領域である。
【００１８】
操作表示部１０４は、印刷装置１００を操作するために必要なメニューキー、操作の決定や開始を指示するための開始キー、操作を停止・中断させるためのキャンセルキー等を備えた操作部と、入力された情報や印刷装置１００のアラーム情報等を表示する表示部とを備えたものである。
印刷制御部１０５は、受信した印刷データに基づいて行う印刷動作を制御するものである。この印刷制御部１０５は、媒体給紙部１０６および媒体搬送部１０８を起動し、媒体を給紙、搬送して印刷動作を実行する。
【００１９】
媒体給紙部１０６は、媒体を収容する複数の給紙トレイを有し、その給紙トレイから媒体を給紙するものである。本実施例では、媒体給紙部１０６は、図２に示すトレイ１媒体給紙ローラ２００またはトレイ２媒体給紙ローラ２０９等の媒体給紙機構を制御し、図２に示すトレイ１カセット２１２またはトレイ２カセット２１３に収容された媒体を給紙する。
【００２０】
媒体サイズ検知部１０７は、それぞれの給紙トレイに収容されている媒体の長さをセンサにより検知するものである。本実施例では、媒体サイズ検知部１０７は、図２に示すトレイ１媒体サイズ検知センサ２１４でトレイ１カセット２１２に収容されている媒体の媒体搬送方向における長さを検知し、またトレイ２媒体サイズ検知センサ２１５でトレイ２カセット２１３に収容されている媒体の媒体搬送方向における長さを検知する。
【００２１】
媒体搬送部１０８は、媒体給紙部１０６により給紙された媒体を装置外へ排出するまで搬送する制御を行うものである。また、媒体搬送部１０８は、搬送する媒体の長さを媒体長さ測定部１０９で測定させる。
媒体長さ測定部１０９は、媒体搬送部１０８により搬送される媒体の長さを図２に示す入口センサ２０１の出力信号とレジストローラ２０２の駆動量（回転数）に基づいて測定するものである。
【００２２】
制御部としてのシステム制御部１０２および印刷制御部１０５は、媒体を給紙する給紙トレイとしてのトレイカセットを選択し、トレイカセットから給紙した媒体を媒体搬送部１０８で搬送して媒体に画像を形成する。
このとき、媒体搬送部１０８は、媒体長さ測定部１０９で測定した搬送媒体の長さと、印刷データで指示された印刷媒体の長さとの差が許容範囲外の場合に、媒体の長さ異常を検出する。
【００２３】
また、印刷制御部１０５は、印刷データで指定された第１の給紙トレイとしてのトレイカセット（例えば、図２に示すトレイ１カセット２１２）を選択し、該トレイカセットから給紙した媒体の長さ異常が媒体搬送部１０８で検出された場合、印刷データで指示された印刷媒体の長さと同じ長さの媒体が収容されている第２の給紙トレイとしてのトレイカセット（例えば、図２に示すトレイ２カセット２１３）に切り替え、そのトレイカセットから媒体の給紙を行う。
【００２４】
上述した構成の作用について説明する。
印刷装置が行う印刷処理を図３の実施例における印刷処理の流れを示すフローチャートの図中Ｓで表すステップに従って図１および図２を参照しながら説明する。
Ｓ１０１：印刷装置１００の通信制御部１０１は、外部ネットワークに接続された外部装置からコマンドを受信し、受信したコマンドの解析を行う。通信制御部１０１は、受信したコマンドが印刷要求コマンドであると判定すると、システム制御部１０２に印刷要求コマンドを受信したことを通知する。印刷要求コマンドを受信したことの通知を受けたシステム制御部１０２は、印刷要求コマンドから印刷する媒体のサイズや給紙元のトレイの指示情報、画像データ等を印刷データとして抽出し、抽出した印刷データを印刷データ保存部１０３に格納する。
【００２５】
Ｓ１０２：システム制御部１０２は、印刷制御部１０５から媒体サイズ検知部１０７が検知した給紙元トレイ（トレイ１カセット２１２またはトレイ２カセット２１３）に収容されている媒体のサイズを取得する。この給紙元トレイは、印刷要求コマンドで指示された給紙元のトレイである。
システム制御部１０２は、印刷制御部１０５から取得した媒体のサイズと、印刷要求コマンドで指示された媒体のサイズとを比較し、一致している場合、印刷制御部１０５に印刷の開始を指示する。指示を受けた印刷制御部１０５は、媒体給紙部１０６に給紙を指示し、給紙元トレイからの給紙を開始させる。
【００２６】
給紙指示を受けた媒体給紙部１０６は、給紙元トレイが給紙可能な状態か否かを判断し、給紙可能であれば媒体の給紙を開始する。ここで、給紙可能な状態とは、前の媒体への印刷動作が終了した状態、または前の媒体が入口センサ２０１を通過した後の状態である。なお、給紙不可能な状態の場合、媒体給紙部１０６は、前の媒体が入口センサ２０１を通過するまで待機するものとする。
媒体給紙部１０６は、印刷要求コマンドで指示された給紙元のトレイの媒体給紙ローラ（トレイ１媒体給紙ローラ２００またはトレイ２媒体給紙ローラ２０９）を回転させて媒体の給紙を開始する。
【００２７】
Ｓ１０３：給紙を指示した印刷制御部１０５は、媒体給紙部１０６からの給紙完了通知を待機する。媒体給紙部１０６は、媒体の給紙を開始した後、入口センサ２０１が媒体を検知するのを待ち、入口センサ２０１で媒体を検知すると印刷制御部１０５へ給紙完了通知を送り、給紙を完了する。
Ｓ１０４：印刷制御部１０５は、媒体給紙部１０６から給紙完了通知を受けると、媒体搬送部１０８へ印刷要求を通知し、印刷を開始する。印刷要求を受けた媒体搬送部１０８は、媒体給紙部１０６により給紙された媒体をレジストローラ２０２、トナーユニット２０４、ベルトユニット２０５、定着ユニット２０６、排出ローラ２０８を起動して搬送する。
【００２８】
Ｓ１０５：媒体搬送部１０８は、媒体の搬送を開始すると共に、媒体長さ測定部１０９へ搬送中の媒体の長さの測定を要求し、測定した媒体の長さに基づいて媒体長さ異常を検出する媒体長異常検出処理を行う。なお、媒体長さ測定部１０９および媒体搬送部１０８が行う媒体長異常検出処理については後述する。
媒体搬送部１０８が媒体の搬送を開始すると、印刷制御部１０５は、書出しセンサ２０３が媒体を検知したタイミングに基づいてトナーユニット２０４による印刷を行う。
【００２９】
Ｓ１０６：媒体搬送部１０８へ印刷要求を通知した印刷制御部１０５は、印刷データに基づいて次ページに対する印刷要求の有無を判定する。印刷制御部１０５は、次ページに対する印刷要求が有ると判断すると処理をＳ１０７へ移行し、無いと判断すると処理をＳ１０８へ移行し、印刷の完了を待機する。
Ｓ１０７：次ページに対する印刷要求が有ると判断した印刷制御部１０５は、媒体給紙部１０６に次ページの給紙を指示し、処理をＳ１０８へ移行し、印刷中のページの印刷の完了を待機する。
【００３０】
Ｓ１０８：印刷制御部１０５は、媒体搬送部１０８から印刷中のページの印刷の完了の通知を待機し、印刷の完了が通知されると処理をＳ１０９へ移行する。
Ｓ１０９：媒体搬送部１０８から印刷中のページの印刷の完了の通知を受けた印刷制御部１０５は、媒体長さ測定部１０９および媒体搬送部１０８により印刷が完了した媒体の長さ異常を検出しているか否かを判断する。印刷制御部１０５は、媒体長さ測定部１０９および媒体搬送部１０８により媒体の長さ異常を検出していると判断すると処理をＳ１１２へ移行し、媒体の長さ異常を検出していないと判断すると処理をＳ１１０へ移行する。
【００３１】
Ｓ１１０：印刷制御部１０５は、媒体の長さ異常を検出していないと判断すると、正常に全ページの印刷が完了したか否かを判断する。印刷制御部１０５は、正常に全ページの印刷が完了したと判断するとシステム制御部１０２に印刷終了を通知し、本処理を終了する。一方、印刷制御部１０５は、全ページの印刷が完了していないと判断すると処理をＳ１１１へ移行する。
【００３２】
Ｓ１１１：全ページの印刷が完了していないと判断した印刷制御部１０５は、既に媒体給紙部１０６への給紙指示を行っているか否かを判断する。印刷制御部１０５は既に給紙指示を行っていると判断した場合、処理をＳ１０３へ移行し、給紙の完了を待機する。一方、印刷制御部１０５は未だ給紙指示を行っていないと判断した場合、処理をＳ１０２へ移行し、媒体給紙部１０６に給紙を指示する。
Ｓ１１２：Ｓ１０９において、媒体長さ測定部１０９が長さ異常を検出していると判断した印刷制御部１０５は、長さ異常を検出したページをシステム制御部１０２に通知する。システム制御部１０２は、印刷データ保存部１０３に保存されている印刷データの該当ページを表す情報に長さ異常（エラーページ）が発生した情報を記録する。
【００３３】
Ｓ１１３：印刷制御部１０５は、媒体搬送路２１１上に媒体が有るか否かを判断する。印刷制御部１０５は、媒体が媒体搬送路２１１上に有ると判断すると、その媒体を排出するため処理をＳ１１４へ移行する。一方、印刷制御部１０５は、媒体が媒体搬送路２１１上に無いと判断すると、媒体の長さが異常である旨のサイズエラー表示を行うためシステム制御部１０２に媒体の長さが異常である旨を通知し、処理をＳ１１５へ移行する。
【００３４】
Ｓ１１４：媒体が媒体搬送路２１１上に有ると判断した印刷制御部１０５は、媒体搬送路２１１上の媒体の排出を媒体搬送部１０８へ要求する。要求を受けた媒体搬送部１０８は、媒体搬送路２１１上に残っているすべての媒体を排出すると、印刷制御部１０５に排出完了を通知する。印刷制御部１０５は、媒体搬送部１０８から排出完了の通知を受けると、システム制御部１０２に媒体の長さが異常である旨を通知する。
Ｓ１１５：通知を受けたシステム制御部１０２は、操作表示部１０４に媒体の長さ異常が検出された旨を表示して利用者に報知するサイズエラー表示を行う。
【００３５】
Ｓ１１６：システム制御部１０２は、印刷要求コマンドで指示された媒体のサイズと同じサイズの媒体が収容されているトレイを印刷制御部１０５に問い合わせる。印刷制御部１０５は、媒体サイズ検知部１０７に各トレイに収容されている媒体のサイズを問い合わせ、長さが異常となった媒体を給紙したトレイ以外に印刷要求コマンドで指示された媒体のサイズと同じサイズの媒体が収容されているトレイが有るか否かを判断する。印刷制御部１０５は、問い合わせた結果、当該トレイが有ると判断すると、給紙するトレイを切り替えるため処理をＳ１１７へ移行する。一方、印刷制御部１０５は、問い合わせた結果、当該トレイが無いと判断すると、本印刷処理を終了し、利用者によるサイズエラーを解除させる介入を待機する。
【００３６】
Ｓ１１７：印刷制御部１０５は、長さが異常となった媒体を給紙したトレイから、印刷要求コマンドで指示された媒体のサイズと同じサイズの媒体が収容されている他のトレイに切り替える。
Ｓ１１８：システム制御部１０２は、印刷データ保存部１０３から印刷データを取得し、Ｓ１１２において長さ異常（エラーページ）が発生した情報が記録されたページの情報を抽出し、印刷を再開させるため印刷を行うページに再設定する。
【００３７】
システム制御部１０２は、再設定したページの印刷を行うため、処理をＳ１０２へ移行し、印刷制御部１０５を介して媒体給紙部１０６へＳ１１５で切り替えた給紙元トレイからの給紙開始を指示し、以降、切り替えた給紙元トレイから給紙し、長さ異常（エラーページ）が発生した情報が記録されたページを含む残りのページの印刷を継続して行う。
【００３８】
このように、印刷装置は、印刷中に媒体の長さ異常を検出した場合、給紙を行っているトレイから印刷データで指示された媒体のサイズと同じサイズの媒体が収納されたトレイに切り替えて媒体を給紙し、媒体の長さ異常を検出したページ以降のページを印刷するようにしたことにより、利用者の介入を要することなく印刷を再開することができるようになり、利用者の操作負担を軽減させることができる。
【００３９】
次に、図３のＳ１０４において媒体長さ測定部１０９および媒体搬送部１０８が行う媒体長異常検出処理を図４の実施例における媒体長異常検出処理の流れを示すフローチャートの図中Ｓで表すステップに従って図１および図２を参照しながら説明する。
Ｓ２０１：図３のＳ１０４において、媒体搬送部１０８は、印刷制御部１０５から印刷要求を受けると、媒体長さ測定部１０９へ搬送中の媒体の長さを測定する要求を通知する。なお、印刷制御部１０５からの印刷要求には、印刷要求コマンドで指示された媒体の長さ（印刷サイズ）が含まれている。
【００４０】
媒体搬送部１０８から搬送中の媒体の長さを測定する要求を受けた媒体長さ測定部１０９は、入口センサ２０１の状態を監視し、入口センサ２０１が媒体を検知（ＯＮ）すると、レジストローラ２０２の駆動量の計測を開始する。
Ｓ２０２：媒体長さ測定部１０９は、入口センサ２０１が媒体を検知しなくなる（ＯＦＦ）まで入口センサ２０１の状態を監視し、入口センサ２０１のＯＦＦを検知すると処理をＳ２０３へ移行する。
【００４１】
Ｓ２０３：入口センサ２０１のＯＦＦを検知した媒体長さ測定部１０９は、レジストローラ２０２の駆動量の計測を終了し、媒体長の測定を終了する。媒体長さ測定部１０９は、入口センサ２０１で媒体を検知してから媒体を検知しなくなるまでの間のレジストローラ２０２の駆動（回転）量と、レジストローラ２０２の外周長とから搬送していた媒体の長さを算出し、その長さを媒体搬送部１０８へ通知する。
Ｓ２０４：媒体搬送部１０８は、媒体長さ測定部１０９で測定した媒体の長さ（媒体のサイズ）と、印刷要求コマンドで指示された媒体のサイズとしての媒体の長さ（印刷サイズ）とを比較する。
【００４２】
Ｓ２０５：媒体搬送部１０８は、媒体長さ測定部１０９で測定した媒体の長さ（媒体のサイズ）と、印刷要求コマンドで指示された媒体のサイズとしての媒体の長さ（印刷サイズ）との差が許容範囲内であるか否かを判断する。例えば、媒体長さ測定部１０９で測定した媒体の長さ（媒体のサイズ）が、印刷要求コマンドで指示された媒体のサイズとしての媒体の長さ（印刷サイズ）に対して±４０ｍｍ以内であれば許容範囲内とする。
【００４３】
媒体搬送部１０８は、媒体長さ測定部１０９で測定した媒体の長さ（媒体のサイズ）が許容範囲内であると判断すると本処理を終了する。一方、媒体搬送部１０８は、媒体長さ測定部１０９で測定した媒体の長さ（媒体のサイズ）が許容範囲内にないと判断すると処理をＳ２０６へ移行する。
Ｓ２０６：媒体長さ測定部１０９で測定した媒体の長さ（媒体のサイズ）が許容範囲内にないと判断した媒体搬送部１０８は、搬送中の媒体の長さ異常（サイズエラー）を検出した旨を印刷制御部１０５へ通知し、本処理を終了する。
【００４４】
以上説明したように、本実施例では、印刷装置は、印刷中に媒体の長さ異常を検出した場合、給紙を行っているトレイから印刷データで指示された媒体のサイズと同じサイズの媒体が収納されたトレイに切り替えて媒体を給紙し、印刷を再開するようにしたことにより、利用者の操作負担を軽減させることができるという効果が得られる。
なお、本実施例では、画像形成装置を印刷装置として説明したが、それに限られることなく、複写機、ファクシミリ装置、複合機（ＭＦＰ）等としても良い。
【符号の説明】
【００４５】
１００  印刷装置
１０１  通信制御部
１０２  システム制御部
１０３  印刷データ保存部
１０４  操作表示部
１０５  印刷制御部
１０６  媒体給紙部
１０７  媒体サイズ検知部
１０８  媒体搬送部
１０９  媒体長さ測定部
２００  トレイ１媒体給紙ローラ
２０１  入口センサ
２０２  レジストローラ
２０３  書出しセンサ
２０４  トナーユニット
２０５  ベルトユニット
２０６  定着ユニット
２０７  出口センサ
２０８  排出ローラ
２０９  トレイ２媒体給紙ローラ
２１０  搬送ローラ
２１１  媒体搬送路
２１２  トレイ１カセット
２１３  トレイ２カセット
２１４  トレイ１媒体サイズ検知センサ
２１５  トレイ２媒体サイズ検知センサ
【図１】
2016120702.tif 000003
【図２】
2016120702.tif 000004
【図３】
2016120702.tif 000005
【図４】
2016120702.tif 000006